(57)【要約】【課題】複数のガス経路の酸素分圧の測定を正確にかつ安定して行うことができ、しかも、装置のコンパクト化及びコスト低減を図ることが可能な酸素センサを提供する。【解決手段】内面及び外面３０ｂに電極が配設された複数の固体電解質筒状体３０と、各固体電解質筒状体３０の外面側電極範囲を均一に加熱する加熱手段３１とを備える。固体電解質筒状体３０の外面側の電極３２を、加熱手段３１に対応した一部に配置される測定電極５５ａと、加熱手段３１より軸方向外方へ突出させたリード線接続部５６ａと、測定電極５５ａとリード線接続部５６ａとを接続する接続線５７ａとで構成する。【選択図】図１
2008185341.tif 000002
【特許請求の範囲】
【請求項１】
内面及び外面に電極が配設された複数の固体電解質筒状体と、各固体電解質筒状体の外面側電極範囲を均一に加熱する加熱手段とを備えたことを特徴とする酸素センサ。
【請求項２】
前記加熱手段は複数の固体電解質筒状体の外周側を包囲するコイル状に巻設された電熱線にて構成したことを特徴とする請求項１の酸素センサ。
【請求項３】
前記加熱手段を平面状ヒータにて構成したことを特徴とする請求項１の酸素センサ。
【請求項４】
固体電解質筒状体の外面側の電極は、固体電解質筒状体の外面のほぼ全周を覆うことを特徴とする請求項１〜請求項３のいずれかの酸素センサ。
【請求項５】
固体電解質筒状体の外面側の電極を、加熱手段に対応した一部に配置される測定電極と、加熱手段より軸方向外方へ突出させたリード線接続部と、測定電極とリード線接続部とを接続する接続線とで構成したことを特徴とする請求項１〜請求項３のいずれかの酸素センサ。
【発明の詳細な説明】
【技術分野】
【０００１】
本発明は、酸素センサに関するものである。
【背景技術】
【０００２】
従来から、固体電解質を含む電気化学的な酸素ポンプを有する酸素分圧制御装置により、酸素分圧を制御した雰囲気ガスを用いて、単結晶試料等を作成する方法が知られている（特許文献１）。
【０００３】
図５に示す酸素分圧制御装置は、バルブ２を通った不活性ガスの流量を設定値に制御するマスフローコントローラ（ＭＦＣ）３と、このマスフローコントローラ３を通った不活性ガスを目的の酸素分圧に制御可能な電気化学的な酸素ポンプ４と、酸素ポンプ４で制御された不活性ガスの酸素分圧をモニタして試料育成装置などの次工程（装置）に供給する供給ガス用の酸素センサ５を有する。
【０００４】
さらにこの装置は、所望の酸素分圧値を設定する酸素分圧設定部６と、酸素センサ５によるモニタ値を酸素分圧設定部６による設定値と比較して酸素ポンプ４から送り出される不活性ガスの酸素分圧を所定値に制御する酸素分圧制御部７と、酸素センサ５によるモニタ値を表示する酸素分圧表示部８を備える。なお、通常、不活性ガス中の酸素分圧は１０-4ａｔｍ程度である。
【０００５】
電気化学的な酸素ポンプ４は、図６に示すように、酸素イオン伝導性を有する固体電解質筒状体４ａの内外両面に白金よりなる電極４ｂ、４ｃを形成している。固体電解質筒状体４ａは、例えばジルコニア系の固体電解質で、図示しないヒータで６００℃程度に加熱される。固体電解質筒状体４ａの一方の開口から他方の開口に向けて軸方向に不活性ガスを供給する。不活性ガスは、例えばＡｒ＋Ｏ2（１０-4ａｔｍ）である。内外両面の電極４ｂ、４ｃ間に直流電源Ｅの直流電圧を印加する。外面の電極４ｃに＋極を印加し、内面の電極４ｂに−極を印加して電流Ｉを流すと、固体電解質筒状体４ａ内を流れる不活性ガス中の酸素分子（Ｏ2）が電気的に還元されてイオン（Ｏ2-）化され、固体電解質を通して再び酸素分子（Ｏ2）として固体電解質筒状体４ａの外部に放出される。固体電解質筒状体４ａの外部に放出された酸素分子は、空気等の補助ガスと共に排気される。固体電解質筒状体４ａに供給されたＡｒ＋Ｏ2（１０-4ａｔｍ）の不活性ガスは、酸素分子が低減されて目的の酸素分圧に制御された処理済みガス（精製ガス）となり、次工程（装置）に給送される。
【０００６】
また、酸素センサ５は、酸素ポンプと同様、酸素イオン伝導性を有する固体電解質筒状体の内外両面に白金等よりなる電極を形成したものを使用することができる。そして、固体電解質筒状体を例えば６００℃程に加熱して、内面側の電極と外面側の電極との間の電位差を測定し、熱力学に基づくネルンストの式から酸素分圧を求めることができる。
【０００７】
すなわち、安定化ジルコニア固体電解質は酸素イオン空格子を有する酸素イオン伝導体で、固体電解質の両側に酸素分圧差が生じると、高酸素分圧側から低酸素分圧側に酸素イオンが移動する。高酸素分圧（Ｐｏ2´）側では、（１／２）Ｏ2（Ｐｏ2´）＋２ｅ-→Ｏ2-、低酸素分圧（Ｐｏ2´´）側では、Ｏ2-→（１／２）Ｏ2（Ｐｏ2´´）＋２ｅ-の電極反応が起きる。このとき、次の数１に示すネルンスト式の起電力が生じる。
【数１】
2008185341.tif 000003
【０００８】
標準極側の酸素分圧（Ｐｏ2´）が既知であれば、起電力と温度を測定することにより、未知の測定極（被測定材料：ＵＯ2+X）の酸素分圧（Ｐｏ2´´）を求めることができる。このとき、酸素ポテンシャルΔＧ°は、次の数２に示すように表される。
【数２】
2008185341.tif 000004
【０００９】
このため、数１の式と数２の式から、被測定材料（ＵＯ2+X）の酸素ポテンシャルを求めることができる。
【００１０】
このような酸素ポンプにより酸素分圧を制御したガスを供給すれば、結晶育成、合金化、熱処理、半導体製造工程などが酸素分圧を制御した不活性ガスなどの雰囲気下で行うことができる。
【特許文献１】特開２００２−３２６８８７号公報
【発明の開示】
【発明が解決しようとする課題】
【００１１】
ところで、近年酸素分圧制御装置において、複数の酸素分圧測定が必要な場合がある。複数の酸素分圧測定を行う場合、図６に示すような酸素センサ（酸素センサユニット）を複数配置することになる。すなわち、酸素センサユニットは、固体電解質筒状体と、この固体電解質筒状体を加熱するためのヒータと、断熱材と、熱電対と、リード線等にて構成されるユニットである。
【００１２】
しかしながら、同じ酸素分圧のガスを複数の酸素センサユニットによって測定した場合、酸素センサユニット毎に固体差がでる。すなわち、各固体電解質筒状体が異なる環境下におかれることになり、この異なる環境下のため加熱温度や雰囲気で酸素分圧に差が生じ、センサ出力が異なる。しかも、酸素分圧測定が必要な数に応じて酸素センサユニットを配置する必要があり、コスト高となるとともに、装置全体が大型化していた。
【００１３】
本発明は、上記課題に鑑みて、複数のガス経路の酸素分圧の測定を正確にかつ安定して行うことができ、しかも、装置のコンパクト化及びコスト低減を図ることが可能な酸素センサを提供する。
【課題を解決するための手段】
【００１４】
本発明の酸素センサは、内面及び外面に電極が配設された複数の固体電解質筒状体と、各固体電解質筒状体の外面側電極範囲を均一に加熱する加熱手段とを備えたものである。
【００１５】
本発明の酸素センサによれば、複数のガス経路の酸素分圧を測定することができ、しかも加熱手段等の共通化を図ることができる。また、複数の固体電解質筒状体が同一環境下に配置されるので、固体電解質筒状体に対する加熱温度及び雰囲気が同じである。
【００１６】
加熱手段は複数の固体電解質筒状体の外周側を包囲するコイル状に巻設された電熱線にて構成することができる。また、加熱手段を平面状ヒータにて構成してもよい。
【００１７】
固体電解質筒状体の外面側の電極は、固体電解質筒状体の外面のほぼ全周を覆うものであってもよく、さらには、加熱手段に対応した一部に配置される測定電極と、加熱手段より軸方向外方へ突出させたリード線接続部と、測定電極とリード線接続部とを接続する接続線とで構成したものであってもよい。
【発明の効果】
【００１８】
本発明では、複数のガス経路の酸素分圧を測定することができ、しかも加熱手段等の共通化を図ることができる。このため、コスト低減および装置のコンパクト化を図ることができる。また、複数の固体電解質筒状体が同一環境下に配置されるので、固体電解質筒状体に対する加熱温度及び雰囲気が同じである。したがって、同じ酸素分圧のガスを固体電解質筒状体毎に測定しても、個体差が生じず、複数のガス経路の酸素分圧の測定を正確にかつ安定して行うことができる。
【００１９】
加熱手段を、固体電解質筒状体の外周側を包囲するコイル状に巻設された電熱線にて構成することができ、これによって、固体電解質筒状体を所望の温度に加熱することができる。ところで、コイル状に巻設された電熱線の両端部は外気の影響を受けやすく、中央部（軸方向中間部）は外気の影響を受けにくく加熱温度が安定する。このため、加熱手段の中央部に測定電極を配置するようにすれば、一層正確な酸素分圧の測定が可能となる。
【００２０】
加熱手段を平面状のヒータにて構成すれば、固体電解質筒状体をサンドイッチ状に挟むことができ、コンパクトな酸素センサを構成することができる。特に、サンドイッチ状に挟む場合、複数の固体電解質筒状体を一鉛直面上に所定ピッチで配設するようにすれば、コンパクト化を一層図ることができ、この酸素センサを使用する酸素分圧制御装置への組み込み性が向上する。
【００２１】
外面側の電極が固体電解質筒状体の外面のほぼ全周を覆うものであれば、配置位置を考慮することなく配置することがきるので、この外面側の電極の形成作業の容易化を図ることができる。
【００２２】
また、測定電極とリード線接続部と接続線とで構成する場合、固体電解質筒状体に設けた電極の寸法を加熱手段の寸法に比して充分に小さく設定することができるので、電極部分の温度分布を無視することができる一定温度に制御でき、測定部分における固体電解質筒状体の酸素イオン伝導率を正確に見積ることが可能となる。このため、酸素分圧の測定精度の向上を図ることができる。しかも、リード線接続部を加熱手段より軸方向外方へ突出させたので、リード線の引き出し作業が簡略化して、組立性の向上を図ることができる。また、外面側の電極が固体電解質筒状体の全体を覆うものでないので、電極に使用する白金等の使用量を抑えて低コストにて生産できる利点もある。
【発明を実施するための最良の形態】
【００２３】
以下本発明の実施の形態を図１から図３に基づいて説明する。本発明に係る酸素センサは図１に示すように、酸素イオン伝導性を有する複数（図例では２本）の固体電解質筒状体３０と、固体電解質筒状体３０を加熱する加熱手段３１を備え、各固体電解質筒状体３０の内面に電極（図示省略）が付設されるとともに、固体電解質筒状体３０の外面３０ｂに電極３２が付設されている。この場合、固体電解質筒状体３０の内面及び外面に白金めっき等を施して、内面側の電極と、外面側の電極３２を構成することができる。
【００２４】
２本の固体電解質筒状体３０は上下方向に沿って配設された状態でケーシング３４内に収納され、その軸方向中間部の外周側に加熱手段３１を構成するコイル状に巻設された電熱線３３が配置されている。すなわち、固体電解質筒状体３０の両端には継手部材３５、３６が付設され、上方の継手部材３５がケーシング３４の上壁３４ａに付設された継手３７に接続管３８を介して接続される。下方の継手部材３６が例えばケーシング３４の上壁３４ａに付設された継手（図示省略）に接続管４０を介して接続される。
【００２５】
また、電熱線３３は断熱構造体４１にて包囲されている。断熱構造体４１は、円筒状の断熱材４２と、断熱材４２の外表面を包囲するカバー４３とを備え、電熱線３３が巻設される芯部材４４が断熱材４２に挿通されている。
【００２６】
この場合、固体電解質筒状体３０の外面３０ｂ間、および固体電解質筒状体３０の外面３０ｂと芯部材４４の内面との間に隙間を設けている。
【００２７】
ところで、断熱材とは、熱エネルギーの移動を遮断する材料であり、無機質のものと有機質のものがある。一般に温度の高い場合には無機質材料が，温度の低い場合には有機質材料が使用される。無機質断熱材としては，セラミック繊維・ガラス繊維・アスベストなどを用いる繊維質断熱材，ケイ酸カルシウム・炭酸マグネシウムなどを用いる粉末質断熱材，パーライト・泡ガラスなどによる多孔質断熱材がある。このため、固体電解質筒状体３０は６００℃程度に加熱手段３１にて加熱されるので、この温度に対応できるものから選択できる。
【００２８】
加熱手段３１には温度検出器５０が付設され、電熱線３３の温度が検出される。温度検出器５０に熱電温度計を使用している。ここで、熱電温度計とは、熱電対を使った温度計である。すなわち、測温接点５１を電熱線３３に接続し、この測温接点５１と基準接点との間の起電力を測ることになる。
【００２９】
電熱線３３は、接続部５２を介してリード線５３が接続され、このリード線５３に通電することによって、加熱される。また、前記温度検出器５０は、図示省略の制御手段に接続され、制御手段によって、例えば、通電のＯＮ・ＯＦＦ制御を行って所定の温度に加熱することができる。
【００３０】
固体電解質筒状体３０の外面側の電極３２は図２に示すように、加熱手段３１の中央部に配設される測定電極５５ａと、加熱手段３１より軸方向外方へ突出させたリード線接続部５６ａと、測定電極５５ａとリード線接続部５６ａする接続線５７ａとで構成される。この図例では、電極３２は軸方向に沿って所定間隔に離間した一対の周方向包囲部（リング部）５５，５６と、軸方向に沿って延びて前記一対の周方向包囲部５５，５６を連結する直線部５７とで構成される。
【００３１】
この場合、図２に示すように、一方の周方向包囲部５５は、加熱手段３１の軸方向中間部に配置され、他方の周方向包囲部５６は、加熱手段３１より（図例では、断熱構造体４１より）軸方向外方へ突出させている。このため、一方の周方向包囲部５５が測定電極５５ａとなり、他方の周方向包囲部５６がリード線接続部５６ａとなり、このリード線接続部５６ａに、リード線６０が接続された端子５８が付設されている。そして、直線部５７が測定電極５５ａとリード線接続部５６ａとを接続する接続線５７ａとなる。
【００３２】
このため、この酸素センサは、固体電解質筒状体３０の外面側の電極（測定電極５５ａ）の範囲を限定し、この限定した有効な外面側電極範囲の固体電解質筒状体３０の温度を均一としたものである。ここで、有効な外面側電極範囲とは、加熱手段３１の中央部（軸方向中央部）であり、この範囲において、加熱手段３１による固体電解質筒状体３０の加熱温度が均一となっている。
【００３３】
この酸素センサには、各固体電解質筒状体３０に下方の継手部材３６側からガスが流入し、上方の継手部材３５側からガスが流出する。
【００３４】
加熱手段３１にて固体電解質筒状体３０を加熱した状態で、この固体電解質筒状体３０に不活性ガスが流れれば、高酸素分圧側から低酸素分圧側に酸素イオンが移動し、これによって、前記数１に示すネルンスト式の起電力が生じる。そのため、この固体電解質筒状体３０を流れるガスの酸素分圧を求めることができる。
【００３５】
本発明の酸素センサによれば、複数のガス経路の酸素分圧を測定することができ、しかも加熱手段３１等の共通化を図ることができる。このため、コスト低減および装置のコンパクト化を図ることができる。また、複数の固体電解質筒状体３０が同一環境下に配置されるので、固体電解質筒状体３０に対する加熱温度、雰囲気が同じである。このため、同じ酸素分圧のガスを固体電解質筒状体３０毎に測定しても、個体差が生じず、複数のガス経路の酸素分圧の測定を正確にかつ安定して行うことができる。
【００３６】
加熱手段３１を、固体電解質筒状体３０の外周側を包囲するコイル状に巻設された電熱線３３にて構成することができ、これによって、固体電解質筒状体３０を所望の温度に加熱することができる。ところで、コイル状に巻設された電熱線３３の両端部は外気の影響を受けやすく、中央部（軸方向中間部）は外気の影響を受けにくく加熱温度が安定する。このため、加熱手段３１の中央部に測定電極５５ａを配置するようにすれば、一層正確な酸素分圧の測定が可能となる。
【００３７】
また、測定電極５５ａとリード線接続部５６ａと接続線５７ａとで構成する場合、有効な外面側電極範囲の固体電解質筒状体３０の温度を均一としたので、酸素分圧を精度良く測定することができる。特に、固体電解質筒状体３０に設けた電極の寸法を加熱手段３１の寸法に比して充分に小さく設定するので、電極部分の温度分布を無視することができる。これにより、測定部分における固体電解質筒状体３０の酸素イオン伝導率を正確に見積ることが可能となり、酸素分圧を精度良く測定することができる。このため、酸素分圧の測定精度の向上を図ることができる。しかも、リード線接続部５６ａを加熱手段３１より軸方向外方へ突出させたので、リード線の引き出し作業が簡略化して、組立性の向上を図ることができる。
【００３８】
加熱手段３１をコイル状に巻設された電熱線にて構成する場合、前記実施形態では、円筒状となるように巻設していた（図３の（ａ）参照）。しかしながら、図３（ｂ）に示すように、平面視長円形状となるように巻設しても、図３（ｃ）に示すように平面視楕円形状となるように巻設しても、図３（ｄ）に示すように平面視三角形状となるように巻設しても、図３（ｅ）に示すように平面視正方形状となるように巻設しても、図３（ｆ）に示すように平面視長方形状となるように巻設してもよい。
【００３９】
また、これらの電熱線３３の内部に配設される固体電解質筒状体３０としては、２本に限るものではなく、３本またはそれ以上であってもよい。このため、電熱線３３の形状としては、固体電解質筒状体３０の数、および並べ方等に応じて種々採用することができる。要は、加熱手段３１である電熱線３３にて、各固体電解質筒状体の外面側電極範囲を均一に加熱することができればよい。
【００４０】
加熱手段３１としては、このようにコイル状に巻設しないものであってもよい、図４に示すように平面状のヒータ４５にて構成してもよい。この場合、図４（ａ）に示すように、２枚のヒータ４５にて複数の固体電解質筒状体３０をサンドイッチ状に挟んでも、図４（ｂ）に示すように、４枚のヒータ４５にて複数の固体電解質筒状体３０を包囲するようにしてもよい。なお、平面状のヒータ４５とは、１本の電熱線を同一平面上に蛇行させたものであっても、複数の平行な直線状の電熱線を同一平面上に所定ピッチで配設したものであってもよい。また、平面状のヒータ４５を使用する場合であっても、固体電解質筒状体３０の数は２本や３本に限るものではない。
【００４１】
加熱手段３１を平面状のヒータにて構成すれば、固体電解質筒状体３０をサンドイッチ状に挟むことができ、コンパクトな酸素センサを構成することができる。特に、サンドイッチ状に挟む場合、複数の固体電解質筒状体３０を一鉛直面上に所定ピッチで配設するようにすれば、コンパクト化を一層図ることができ、この酸素センサを使用する酸素分圧制御装置への組み込み性が向上する。
【００４２】
固体電解質筒状体３０の外面側の電極３２は、固体電解質筒状体３０の外面３０ｂのほぼ全周を覆うものであってもよい。外面側の電極３２が固体電解質筒状体３０の外面３０ｂのほぼ全周を覆うものであれば、配置位置を考慮することなく配置することがきるので、この外面側の電極の形成作業の容易化を図ることができる。
【００４３】
以上、本発明の実施形態につき説明したが、本発明は前記実施形態に限定されることなく種々の変形が可能であって、例えば、電極３２の周方向包囲部５５，５６の幅方向（軸方向長さ）としては、一方の周方向包囲部５５が測定電極５５ａとして機能し、他方の周方向包囲部５６がリード線接続部５６ａとして機能するものであれば、任意に変更することができる。また、電極３２の直線部５７としても、測定電極５５ａとリード線接続部５６ａとを接続するものであれば、その周方向寸法を任意に設定できる。すなわち、測定電極５５ａとしては、固体電解質筒状体３０を周方向に包囲しなくてもよく、固体電解質筒状体３０の外面の一部に対応するものであればよく、その形状としては、円形、楕円、矩形、三角、多角形等の種々のものを採用でき、大きさとしても、測定電極として機能する範囲で任意に変更できる。また、リード線接続部５６ａとしても、測定電極５５ａと同様、固体電解質筒状体３０を周方向に包囲しなくてもよく、固体電解質筒状体３０の外面の一部に対応するものであればよく、その形状としては、円形、楕円、矩形、三角、多角形等の種々のものを採用でき、大きさとしても、リード線接続部５６ａとして機能する範囲で任意に変更できる。また、接続線５７ａとしても、固体電解質筒状体３０の軸方向に沿って直線状に延びなくてもよい。すなわち、測定電極５５ａとリード線接続部５６ａとが周方向に所定角度（例えば１８０度）変位している場合には、接続線５７ａは測定電極５５ａからリード線接続部５６ａに１８０度ねじられたものとなる。
【００４４】
前記実施形態では、リード線接続部５６ａをヒータ３３よりも下方側へ突出させているが、ヒータ３３よりも上方側へ突出させるようにしてもよい。さらに、固体電解質筒状体３０の径寸法や長さ寸法等としても、加熱手段３１に加熱する範囲等によって相違するが、種々変更可能である。また、固体電解質筒状体３０を上下方向に沿って配設することなく、水平方向等に沿って配設してもよい。
【００４５】
加熱手段３１として、複数本の固体電解質筒状体３０を加熱できればよいので、電熱線３３以外の手段、例えば、光を使用した加熱手段であってもよい。なお、電熱線３３を筒状に巻設して使用する場合、図３に示す形状に限るものではなく、また、平面状ヒータを使用する場合、図４に示すように、２枚や４枚に限るものではなく、１枚、３枚、又は５枚以上であってもよい。
【図面の簡単な説明】
【００４６】
【図１】本発明の実施形態を示す酸素センサの断面正面図である。
【図２】前記酸素センサの固体電解質筒状体の正面図である。
【図３】加熱手段を構成する電熱線の簡略平面図である。
【図４】加熱手段を構成する平面状ヒータの簡略平面図である。
【図５】従来の酸素分圧制御装置の簡略図である。
【図６】酸素ポンプの原理の説明図である。
【符号の説明】
【００４７】
３０     固体電解質筒状体
３０ｂ   外面
３１     加熱手段
３３     電熱線
４５     ヒータ
５５ａ   測定電極
５６ａ   リード線接続部
５７ａ   接続線
【図１】
2008185341.tif 000005
【図２】
2008185341.tif 000006
【図３】
2008185341.tif 000007
【図４】
2008185341.tif 000008
【図５】
2008185341.tif 000009
【図６】
2008185341.tif 000010